(57)【要約】【課題】ダイバーなどの顔面所定位置にマスク本体を密着させ、横方向のみならず、マスク本体が上下方向にずれるのも有効に防止することができるように構成したアシストバンド及び当該アシストバンドを具備した水中マスク並びに運動用ゴーグルを提供する。【解決手段】水中マスク１０または運動用ゴーグルを顔面の所定位置に密着させるための横方向ヘッドバンド１４に取付けて使用するアシストバンドであって、当該アシストバンド本体１は柔軟性ないしゴム弾性を有するシリコーンゴム、合成ゴムまたは熱可塑性エラストマーによって作製され、前記横方向ヘッドバンド１４を通すための環状部３を両端に形成してあり、当該アシストバンド１によって装着者の頭頂部を縦方向に掛け渡すことができるようにして水中マスク１０または運動用ゴーグルが横方向のみならず上下方向にずれるのを防ぐことができるようにした。【選択図】図３
0003208449.tif 000002
【実用新案登録請求の範囲】
【請求項１】
水中マスクまたは運動用ゴーグルを顔面の所定位置に密着させるための横方向ヘッドバンドに選択的に取付けて使用するアシストバンドであって、当該アシストバンド本体は柔軟性ないしゴム弾性を有するシリコーンゴム、合成ゴムまたは熱可塑性エラストマーによって作製され、前記横方向ヘッドバンドを通すための環状部を両端に形成してあり、当該アシストバンドによって装着者の頭頂部を縦方向に掛け渡すことができるようにして水中マスクまたは運動用ゴーグルが上下方向にずれるのを防ぐことができるようにしたことを特徴とするアシストバンド。
【請求項２】
前記アシストバンドのほぼ中間部分を広幅状に形成して頭頂部との接触面積を大きくしたことを特徴とする請求項１に記載のアシストバンド。
【請求項３】
水中マスクまたは運動用ゴーグルを顔面の所定位置に密着させるための横方向ヘッドバンドの左右ほぼ対称位置に、当該横方向ヘッドバンドと同じ素材の柔軟性ないしゴム弾性を有するシリコーンゴム、合成ゴムまたは熱可塑性エラストマーによって装着者の頭頂部を縦方向に掛け渡すことができるアシストバンドを一体成形してなり、当該アシストバンドによって水中マスクまたは運動用ゴーグルが上下方向にずれるのを防ぐことができるようにしたことを特徴とするアシストバンドを具備した水中マスクまたは運動用ゴーグル。
【請求項４】
前記アシストバンドのほぼ中間部分を広幅状に形成して頭頂部との接触面積を大きくしたことを特徴とする請求項３に記載のアシストバンドを具備した水中マスクまたは運動用ゴーグル。
【考案の詳細な説明】
【技術分野】
【０００１】
本考案はダイビングの際に用いる水中マスクや、水泳、スキー等の際に用いる運動用ゴーグルに装着するアシストバンド及び当該アシストバンドを具備した水中マスク並びに運動用ゴーグルに関する。
【背景技術】
【０００２】
例えば、ダイビング用の水中マスクの場合は、下記する特許文献に示されているように、レンズを付設したレンズフレームと、このレンズフレームから後方へ延びるスカート部と、前記レンズフレームの左右両側部付近に取付けられるバックルと、当該バックルに長さ調節可能に掛け回されて後頭部に密着される横方向ヘッドバンドとを有しており、水中マスク本体は前記横方向ヘッドバンドの収縮力によって顔面に密着された状態となる。
【先行技術文献】
【特許文献】
【０００３】
【特許文献１】特開２００３−２６５６４７公報
【考案の概要】
【考案が解決しようとする課題】
【０００４】
前記特許文献１に開示された水中マスクの場合、水中マスク本体はレンズフレームの左右両側部付近に取付けられているバックルに掛け回されて後頭部に密着される横方向ヘッドバンドのみによって顔面の所定位置に密着される構造となっている。
しかしながら、当該横方向ヘッドバンドのみによる固定方法では、装着する者の後頭部形状が絶壁頭または斜頭症と称される丸味を帯びない直線的な形状の場合は、横方向ヘッドバンドが後頭部に引っ掛からず、容易に上下方向、特に、後頭部から下方側にずれてきて、結果的に水中マスク本体を正常な位置に密着固定することができなくという問題点がある。特に、スキューバダイビング初心者などの場合は、マスク本体内に水が浸入すると、ストレスを感じ、ストレスからパニック状態に至り、死亡事故に繋がるという重大な問題がある。
【０００５】
本考案は、前記した従来型水中マスクないし運動用ゴーグルに取付けられている横方向ヘッドバンドに加えてダイバーなどの頭頂部付近に縦方向に沿って掛け渡すアシストバンドを選択的に用いるか、あるいは横方向ヘッドバンドと当該縦方向アシストバンドを一体成形して、ダイバーなどの顔面所定位置にマスク本体を密着させ、横方向のみならず、マスク本体が上下方向にずれるのも有効に防止することができるようになしたアシストバンド及び当該アシストバンドを具備した水中マスク並びに運動用ゴーグルを提供することを目的とするものである。
【課題を解決するための手段】
【０００６】
上記課題を解決するための本考案の構成を詳述すれば、請求項１に係る考案は、水中マスクまたは運動用ゴーグルを顔面の所定位置に密着させるための横方向ヘッドバンドに選択的に取付けて使用するアシストバンドであって、当該アシストバンド本体は柔軟性ないしゴム弾性を有するシリコーンゴム、合成ゴムまたは熱可塑性エラストマーによって作製され、前記横方向ヘッドバンドを通すための環状部を両端に形成してあり、当該アシストバンドによって装着者の頭頂部を縦方向に掛け渡すことができるようにして水中マスクまたは運動用ゴーグルが上下方向にずれるのを防ぐことができるようにしたことを特徴とするアシストバンドである。
【０００７】
請求項２に係る考案は、前記アシストバンドのほぼ中間部分を広幅状に形成して頭頂部との接触面積を大きくしたことを特徴とする請求項１に記載のアシストバンドである。
【０００８】
また、請求項３に係る考案は、水中マスクまたは運動用ゴーグルを顔面の所定位置に密着させるための横方向ヘッドバンドの左右ほぼ対称位置に、当該横方向ヘッドバンドと同じ素材の柔軟性ないしゴム弾性を有するシリコーンゴム、合成ゴムまたは熱可塑性エラストマーによって装着者の頭頂部を縦方向に掛け渡すことができるアシストバンドを一体成形してなり、当該アシストバンドによって水中マスクまたは運動用ゴーグルが上下方向にずれるのを防ぐことができるようにしたことを特徴とするアシストバンドを具備した水中マスクまたは運動用ゴーグルである。
【０００９】
さらに、請求項４に係る考案は、前記アシストバンドのほぼ中間部分を広幅状に形成して頭頂部との接触面積を大きくしたことを特徴とする請求項３に記載のアシストバンドを具備した水中マスクまたは運動用ゴーグルである。
【考案の効果】
【００１０】
請求項１に係る考案によれば、アシストバンド本体は水中マスクまたは運動用ゴーグルに付属する横方向ヘッドバンドに一体成形されておらず、アシストバンド本体の両端部に形成してある環状部内に、横方向ヘッドバンドの両端部を通して、必要長さを調整した後、横方向ヘッドバンドの両端部をバックルで固定し、アシストバンド本体を頭頂部に掛け渡して、横方向ヘッドバンドによる横方向のずれ防止と共に、アシストバンド本体による縦方向、すなわち上下方向のずれを防ぐことができ、マスクまたはゴーグル本体内に水が浸入するのを有効に防ぐことができる。また、アシストバンドのほぼ中間部分を広幅状に形成して頭頂部との接触面積を大きくした場合には一層ずれ難くなり安全性が向上する。
【００１１】
請求項３に係る考案によれば、横方向ヘッドバンドとアシストバンドは一体成形されているので、使い勝手が良好で、且つ顔面の所定位置からずれ難い構造の水中マスクまたは運動用ゴーグルを提供することができる。また、当該アシストバンドのほぼ中間部分を広幅状に形成して頭頂部との接触面積を大きくした場合には前記実施形態の場合と同様の効果を奏することができる。
【図面の簡単な説明】
【００１２】
【図１】横方向ヘッドバンドのみによって頭部に装着する従来の水中マスクの一例を示す斜視図である。
【図２】本考案に係るアシストバンドの一例を示す斜視図である。
【図３】従来型水中マスクの横方向ヘッドバンドにアシストバンドを取付けた状態の一例を示す斜視図である。
【図４】横方向ヘッドバンドとアシストバンドを一体成形した一例を示す斜視図である。
【考案を実施するための形態】
【００１３】
以下、本考案の具体的構成を図示の実施形態に基づいて詳細に説明する。
【００１４】
なお、以下に示す実施形態は、本考案の技術思想を具体化するための一例を示すものであって、本考案は以下の説明及び図示したものに限定されるものではない。特に実施の形態に記載されている各構成要素の材質、形状、相対的配置等は、特定的な記載がない限り本考案の範囲をそれのみに限定する趣旨ではなく、単なる説明例に過ぎないものである。また、各図面が示す部材の大きさや位置関係等は説明を明確にするために誇張していることがある。
【００１５】
図１は従来型水中マスクを示すもので、図中１０は水中マスク本体を示す。
水中マスク本体１０はレンズを水密状に嵌め込んだレンズフレーム１１、当該レンズフレーム１１の後方側に延設された柔軟性ないしゴム弾性を有するシリコーンゴム、合成ゴムまたは熱可塑性エラストマーなどによって作製されたスカート部１２、前記レンズフレーム１１または前記スカート部１２の左右両側に付設したバックル部１３，１３及び当該左右両側のバックル部１３、１３によって掛け回されるシリコーンゴムや熱可塑性エラストマーなどによって作製されたヘッドバンド１４を具備しており、従来は、前記ヘッドバンド１４を拡げて頭部に嵌め込み、ヘッドバンド１４の必要長さを調節して水中マスク本体１０を顔面の所定位置に密着するようにして使用していた。
【００１６】
しかしながら、前記ヘッドバンド１４は頭部を謂わば横方向に締め込むだけのものであり、前記したように装着する者の後頭部形状が絶壁頭または斜頭症と称される丸味を帯びない直線的な形状の場合は、横方向ヘッドバンドが後頭部に引っ掛からず、上下方向、特に、後頭部から下方側にずれてくるという問題点があった。
そこで、本考案は前記した横方向ヘッドバンド１４にアシストバンドを選択的に取付けることができるようにして、水中マスク本体１０が下方側にずれるのを防ぐようにしたものである。
【００１７】
図２はアシストバンド１の一例を示すもので、当該アシストバンド１は前記した横方向ヘッドバンド１４やスカート部１２と同様に、柔軟性ないしゴム弾性を有するシリコーンゴム、合成ゴムまたは熱可塑性エラストマーによって作製され、両端部には横方向ヘッドバンド１４の両端部を通すための通孔２を有する環状部３を形成してある。なお、アシストバンド１の長手方向長さはヘッドバンド１４の左右何れか一方の取付基点から装着者の頭頂部を経て他側の取付箇所までの長さが必要であるが、使用素材である柔軟性ないしゴム弾性を有するシリコーンゴム、合成ゴムまたは熱可塑性エラストマーなどの弾性特性を考慮して若干短めにした方が頭部にフィットした状態となって好ましい効果を得ることができる。
【００１８】
前記アシストバンド１のほぼ中間部分、すなわち頭頂部に相当する部分４を、図２に示すように広幅状に形成した場合は、頭頂部との接触面積が拡がり一層良好な密着感が得られ、上下方向のずれを完璧に防ぐことができる。
また、特に図示していないが、頭頂部に相当する部分４の内側に多数の小突起を突成してダイバーなどの頭部またはウェットスーツ素材からなるフード部などとの滑り抵抗性を高めるようにすることができる。
【００１９】
この実施形態によるアシストバンド１を従来型水中マスク１０に適用するにあたっては、先ず、横方向ヘッドバンド１４の両端部１５，１５をバックル部１３，１３から外し、フリーの状態となった横方向ヘッドバンド１４の両端部１５，１５をアシストバンド１の両端部に形成してある環状部３の通孔２を通して位置を調整してから、図３に示すように横方向ヘッドバンド１４の両端部１５，１５をバックル部１３，１３に通してセットを完了する。
【００２０】
この実施形態によった場合は、既存の水中マスクに付属しているヘッドバンドにも取付けが可能であると共に、図３に示すように横方向ヘッドバンド１４の両端部の自由端をアシストバンド１両端の環状部３の通孔２内に押し込むことができ、横方向ヘッドバンド１４の自由端が邪魔になるのを防ぐことができる。
【００２１】
次に、図４に示す実施形態は、水中マスク１０を顔面の所定位置に密着させるための横方向ヘッドバンド１４の左右ほぼ対称位置に、横方向ヘッドバンド１４と同じ素材の柔軟性ないしゴム弾性を有するシリコーンゴム、合成ゴムまたは熱可塑性エラストマーによって装着者の頭頂部を縦方向に掛け渡すことができるアシストバンド１を一体成形してなり、当該アシストバンド１によって水中マスク１０が上下方向にずれるのを防ぐことができるようにしたものであり、アシストバンド１の両端部５，５がヘッドバンド１４に直交するように一体成形されているので、前記した単体型のアシストバンド１と較べて取付けたり、取外したりするセットに要する手間を省くことができ、使い勝手の良好なアシストバンドを具備した水中マスクを提供することができる。
【００２２】
なお、前記した実施形態においては水中マスクを例として挙げているが、１本の横方向ヘッドバンドによってゴーグル部を保持している各種運動用ゴーグルについても本考案の技術思想を適用できるのは勿論であり、頭頂部を掛け渡すようにアシストバンドを取付けた運動用ゴーグルの場合も、ゴーグル本体を横方向だけでなく上下方向においてもずれるのを防ぐことができる。
【産業上の利用可能性】
【００２３】
以上のように、本考案はアシストバンド及び当該アシストバンドを具備した水中マスク並びに運動用ゴーグルに関するものであるが、本考案はこれ以外にも、本体の左右両端などを弾性素材で直線的な帯状のバンドにて結合し、当該バンドを頭部横方向の耳の上部を経由し、バンド中央部が人体頭部の後頭部に接するように装着し、固定するものについても適用できることは勿論である。
すなわち、本考案と同様に絶壁頭、斜頭症などの直線的な後頭部の形状では装着後、容易にバンドが移動してしまい、正常な位置に固定できず、正常な使用ができなくなるおそれがあるが、本考案の技術思想を採用することにより、正常な使用が可能となることから、防塵用、眼部保護用などの防災用ゴーグル、救護活動用ゴーグル、あるいは蒸気や薬品などから眼部を保護するオートクレーブ用ゴーグルなどの分野にも応用が可能である。
【符号の説明】
【００２４】
１：アシストバンド
２：通孔
３：環状部
４：頭頂部に相当する部分
５：両端部
１０：水中マスク本体
１１：レンズフレーム
１２：スカート部
１３：バックル部
１４：ヘッドバンド
１５：両端部
【図１】
0003208449.tif 000003
【図２】
0003208449.tif 000004
【図３】
0003208449.tif 000005
【図４】
0003208449.tif 000006